(57)【要約】　　　（修正有）【課題】カメラの映像に対して文字を重畳した画像データをネットワークに伝送する画像伝送装置、及び、送られてきた画像に文字を重畳してモニタに表示する画像受信装置を提供する。この文字は　ＬＡＮ　から送られてくる情報データにより変更することができる。【解決手段】画像伝送装置の映像信号入力部または、画像受信装置の映像出力部にプログラマブルの文字表示回路を付加し、ＬＡＮ　からの情報によって任意に文字表示を変更できるようにした。【選択図】　図４
2004096197.tif 000002
【特許請求の範囲】
【請求項１】
映像信号を取り込み　Ａ／Ｄ　変換する手段と、該　Ａ／Ｄ　変換されたデータをネットワークへ伝送する画像伝送装置において、上記映像信号に任意の文字情報を付加または重畳することを特徴とした画像伝送装置。
【請求項２】
請求項１記載の画像伝送装置からの画像データを受信し、受信されたデータを復元しモニタ画面に表示する画像受信装置において、
上記受信された画像データに、上記画像伝送装置が付加または重畳した文字情報をモニタ表示することを特徴とした画像受信装置。
【請求項３】
請求項１または請求項２記載の画像伝送装置において、上記文字情報は、音声データ、ＣＧ、アニメーション、地図データを含むことを特徴とした画像伝送装置。
【請求項４】
請求項２記載の画像受信装置において、上記文字情報は、音声データ、ＣＧ、アニメーション、地図データを含むことを特徴とした画像受信装置。
【請求項５】
カメラと、該カメラに結合し該カメラが撮像した画像に任意の情報を付加または重畳してネットワークを介して配信する画像伝送装置と、該画像伝送装置が配信する上記画像と上記情報とを表示する画像受信装置であって、上記画像受信装置は表示された情報に基いて上記画像伝送装置に指示を伝送する入力機器を備え、該入力機器の指示に応答して、上記画像伝送装置の結合されたカメラの設定を変更して、該結合されたカメラの撮像した画像を上記ネットワークに配信することを特徴とする画像表示システム。
【発明の詳細な説明】
【０００１】
【発明の属する技術分野】
本発明は、ネットワークに対応した画像受信装置及び画像伝送装置及び画像情報表示システムに関するものである。
【０００２】
【従来の技術】
図１は、従来の画像伝送装置の構成を示すブロック図である。
１　はカメラ、２　は画像伝送装置、１０　は文字重畳装置、１００　は　ＬＡＮ（　Ｌｏｃａｌ　Ａｒｅａ　Ｎｅｔｗｏｒｋ　）、２２　は　Ａ／Ｄ　変換回路、２３　は画像データ圧縮回路、２４　はバッファメモリ、２６　はネットワーク制御回路である。
一点鎖線で囲まれた画像伝送装置　２　は、少なくとも、Ａ／Ｄ　変換回路　２２　、画像データ圧縮回路　２３　、バッファメモリ　２４　、ネットワーク制御回路　２６　から構成されている。
【０００３】
カメラ　１　からの映像に文字を重畳表示する場合について、図１を用いて説明する。
図１において、カメラ　１　は取得した映像を映像信号に変換して文字重畳装置　１０　に出力する。文字重畳装置　１０　は、入力された映像信号に、所望の文字を重畳し、画像伝送装置　２　に出力する。画像伝送装置　２　は、入力された映像信号をＡ／Ｄ　変換回路　２２　によって　Ａ／Ｄ（　Ａｎａｌｏｇ　ｔｏ　Ｄｉｇｉｔａｌ　）変換し、画像データ圧縮回路　２３　に出力する。更に画像データ圧縮回路　２３　は、入力されたデジタル画像データを　ＪＰＥＧ（　Ｊｏｉｎｔ　Ｐｈｏｔｏｇｒａｐｈｉｃ　Ｅｘｐｅｒｔｓ　Ｇｒｏｕｐ　）等の画像データ形式に圧縮し、バッファメモリ　２４　に出力する。ネットワーク制御回路　２６　は、バッファメモリ　２４　その画像データを読出し、画像伝送信号に変換して　ＬＡＮ　１００　に配信する。ＬＡＮ　１００　は、配信された画像伝送信号を配信要求のあった画像受信装置に伝送する。
ここで、文字重畳装置　１０　は、例えば、タイトルジェネレータであり、このような文字重畳装置による文字表示は、固定で、容易に変更することができなかった。従って、画像伝送装置側では、オペレータは、オペレータが望む任意の文字情報を、取得した画像に重畳することができなかった。
【０００４】
図３は、従来の画像受信装置の構成を示すブロック図である。
１００　は　ＬＡＮ　、３　は画像受信装置、４　はモニタ、１０　は文字重畳装置、３１　は、３２　は画像データ解凍回路、３３　は　Ｄ／Ａ　変換回路、３５　はネットワーク制御回路である。
一点鎖線で囲まれた画像受信装置　３　は、少なくとも、ネットワーク制御回路　３５　、バッファメモリ　３１　、画像データ解凍回路　３２　、Ｄ／Ａ　変換回路　３３　から構成されている。
画像受信装置　３　は、ＪＰＥＧ　等で圧縮され画像伝送装置から伝送された画像伝送信号を、ＬＡＮ　１００　を介してネットワーク制御回路　３５　で受信する。ネットワーク制御回路　３５　は、受信した画像伝送信号を画像データに変換してバッファメモリ３１　に出力する。バッファメモリ　３１　は、入力された画像データを記録する。画像データ解凍回路　２３　は、バッファメモリ　３１　に記憶された画像データを順次読出し、解凍して、Ｄ／Ａ　変換回路　３３　に出力する。Ｄ／Ａ　変換回路　３３　は、入力されたデータを　Ｄ／Ａ（　Ｄｉｇｉｔａｌ　ｔｏ　Ａｎａｌｏｇ　）変換し、アナログの映像信号として文字重畳装置　１０　に出力する。文字重畳装置　１０　は、定められた文字を入力された映像信号に重畳して、モニタ　４　に出力する。モニタ　４　は、入力された信号に基いた画像を表示する（ただし、以降の図中、モニタ　４　では、画像データの表示を省略している）。文字重畳装置　１０　は、例えば、タイトルジェネレータである。
しかしこの場合には、文字表示は固定で容易に変更することができなかった。従って、画像受信装置側では、伝送装置側から伝送された画像に、画像データと共に送られてきた任意の文字情報の全てを重畳された画像として表示することができなかった。
【０００５】
【発明が解決しようとする課題】
前述のように、カメラからの映像信号を　Ａ／Ｄ　変換し　ＪＰＥＧ　等で圧縮し　ＬＡＮ　へ画像データを配信する従来の画像伝送装置で映像に文字を重畳表示する場合には、カメラと画像伝送装置の間にタイトルジェネレータのような文字重畳装置が必要だった。しかしこの場合の文字表示は固定で容易に変更することができなかった。
また、カメラからの映像信号を　Ａ／Ｄ　変換し　ＪＰＥＧ　等で圧縮し　ＬＡＮ　へ画像データを配信する画像伝送装置から伝送された画像データを受信し画像データを映像信号に変換してモニタに表示する画像受信装置で映像に文字を重畳表示する場合には、画像受信装置とモニタの間にタイトルジェネレータのような文字重畳装置が必要だった。しかしこの場合の文字表示は固定で容易に変更することができなかった。
【０００６】
本発明の目的は、上記の欠点を除去し、カメラからの映像信号に文字を重畳させた画像データを作成しこれをネットワークに伝送することができる画像伝送装置を実現することにある。更に、受信した画像データに文字を重畳してモニタに表示できるようにし、また、画像データと共に送られてくる画像の情報データを解析して表示する文字を変更することができるようにすることにある。
【０００７】
【課題を解決するための手段】
本発明は上記の目的を達成するために、本発明の画像伝送装置及び画像受信装置は、以下に示す手段を用いたものである。
ＬＡＮ　等から送られて来る画像データを受信して映像信号に変換すると共に映像信号に文字表示回路を付加して映像信号に文字を重畳してモニタに表示できるようにする。さらに　ＬＡＮ　等から送られてくる画像データに付加された情報をもとに表示する文字を設定することができるようにする。
【０００８】
本発明は上記の目的を達成するために、以下に示す手段を用いたものである。画像伝送装置の入力部に文字発生回路を付加しカメラからの映像信号に文字を重畳させる。する。さらに　ＬＡＮ　等から送られてくる情報をもとに表示する文字を設定することができるようプログラマブルな文字発生回路にする。
【０００９】
即ち、本発明の画像伝送装置は、映像信号を取り込み　Ａ／Ｄ　変換する手段と、該　Ａ／Ｄ　変換されたデータをネットワークへ伝送する画像伝送装置において、上記映像信号に任意の文字情報を付加または重畳するものである。
また、本発明の画像受信装置は、画像伝送装置からの画像データを受信し、受信されたデータを復元しモニタ画面に表示する画像受信装置において、上記受信された画像データに、上記画像伝送装置が付加または重畳した文字情報をモニタ表示するものである。
また、本発明の画像伝送装置または画像受信装置の上記文字情報は、音声データ、ＣＧ、アニメーション、地図データを含むものである。
【００１０】
また、本発明の画像表示システムは、カメラと、該カメラに結合し該カメラが撮像した画像に任意の情報を付加または重畳してネットワークを介して配信する画像伝送装置と、該画像伝送装置が配信する上記画像と上記情報とを表示する画像受信装置であって、上記画像受信装置は表示された情報に基いて上記画像伝送装置に指示を伝送する入力機器を備え、該入力機器の指示に応答して、上記画像伝送装置の結合されたカメラの設定を変更して、該結合されたカメラの撮像した画像を上記ネットワークに配信するものである。
【００１１】
【発明の実施の形態】
以下、本発明の一実施例を図２により説明する。
図２は、本発明の画像伝送装置の一実施例の構成を示すブロック図である。従来技術で説明した構成要素と同一の機能の構成要素には同一の番号を付した。その他、２′は画像伝送装置、２１　は文字表示回路、２５　は　ＣＰＵ（　Ｃｅｎｔｒａｌ　Ｐｒｏｃｅｓｓｉｎｇ　Ｕｎｉｔ　）である。
図２において、本発明の一実施例の画像伝送装置　２′は一点鎖線で囲んで示している。即ち、画像伝送装置　２′は、少なくとも、文字表示回路　２１　、Ａ／Ｄ　変換回路　２２　、画像データ圧縮回路　２３　、バッファメモリ　２４　、ＣＰＵ　２５　、ネットワーク制御回路　２６　により構成されている。
【００１２】
図２において、カメラ　１　から出力された映像信号　ａ　が、画像伝送装置　２′の文字表示回路　２１　に入力される。文字表示回路　２１　は、図示しない入力機器から画像伝送装置　２′に、オペレータによって与えられた任意の文字情報を映像信号に重畳し、文字情報が重畳された映像信号　ｂ　を　Ａ／Ｄ　変換回路　２２　に出力する。図示しない入力機器とは、例えば、マウス等のポインティングデバイス及びキーボード、マイク、スピーカ等であり、例えば、専用の操作器、専用の入力機器であっても良い。
Ａ／Ｄ　変換回路　２２　は、この文字が付加された映像信号　ｂ　をデジタル化して、画像データ　ｄ　に変換し、画像データ圧縮回路　２３　に出力する。画像データ圧縮回路　２３　は、この画像データを、例えば、ＪＰＥＧ　の形式の画像データ　ｅ　に圧縮し、バッファメモリ　２４　に出力する。バッファメモリ　２４　は、この圧縮された画像データ　ｅ　を蓄える。
【００１３】
ＣＰＵ　２５　は、バッファメモリ　２４　から画像データを読み出して、ネットワーク制御回路　２６　を介して、ＬＡＮ　１００　に画像データを伝送する。即ち、ネットワーク制御回路　２６　は、バッファメモリ　２４　その画像データを読出し、画像伝送信号に変換して　ＬＡＮ　１００　に配信する。ＬＡＮ　１００　は、配信された画像伝送信号を配信要求のあった画像受信装置に伝送する。
また、ＣＰＵ　２５　は、ＬＡＮ　１００　から送られてきた情報データをネットワーク制御回路　２６　を介して読み取り、その情報を解析して文字表示回路　２１　の設定を制御する。また、ＣＰＵ　２５　は、直接画像伝送装置それぞれに結合された入力機器から送られてきた情報データをネットワーク制御回路　２６　を介して読み取り、その情報を解析して文字表示回路　２１　の設定を制御することもできる。
【００１４】
以下、本発明の別の実施例を図４により説明する。
図４は、本発明の画像受信装置の一実施例の構成を示すブロック図である。従来技術で説明した構成要素と同一の機能の構成要素には同一の番号を付した。その他、３′は画像受信装置、３４　は文字表示回路である。
一点鎖線で囲まれた画像受信装置　３′は、少なくとも、バッファメモリ　３１　、画像データ解凍回路　３２　、Ｄ／Ａ　変換回路　３３　、文字表示回路　３４　、ネットワーク制御回路　３５　、ＣＰＵ　３６　から構成されている。
【００１５】
ＬＡＮ　１００　から送られてきた画像情報のデータを含む画像伝送信号　Ｂ　が、画像受信装置　３′のネットワーク制御回路　３５　で受信される。ネットワーク制御回路３５　は、入力された画像伝送信号　Ｂ　から画像データを抽出して、データバス　ｇ　を介して　ＣＰＵ　３６　に出力し、かつ、バッファメモリ　３１　に出力する。バッファメモリ　３１　は入力された画像データを記録する。
画像データ解凍回路　３２　は、バッファメモリ　３１　に記録された画像データを画像データ　ｈ　として順次読出して解凍し、画像データ　ｉ　として　Ｄ／Ａ　変換回路　３３に出力する。Ｄ／Ａ　変換回路　３３　は、この解凍され復元した画像データ　ｉ　をアナログ映像信号　ｊ（例えば、ＮＴＳＣ　方式の映像信号）に変換して文字表示回路　３４　に出力する。文字表示回路　３４　は、入力された映像信号　ｊ　に文字を重畳し、映像信号　ｑ　としてモニタ　４　に出力する。モニタ　４　は、入力された映像信号　ｑ　に基いた画像を表示する。
【００１６】
ＣＰＵ　３６　は、ＬＡＮ　１００　を介して画像データとともに送られてきた画像情報データを解析し、文字表示回路　３４　の設定を変更して表示する文字の更新を行う。
また　ＬＡＮ　１００　上のパソコン（図示してはいない）から文字表示変更の情報データを送信して文字表示情報を変更させることもできる。また画像データの要求をしても返事が無い場合には回線断の警告を表示することもできる。
【００１７】
図５、図６、図７により、本発明の他の実施例を説明する。
図５〜図７は、本発明の一実施例の画像伝送装置を外部伝送メディアによって画像受信装置と接続したシステムの構成例を示す図である。
１−１　，１−２　，１−３　，‥‥‥，１−ｎ　はカメラ、２−１　，２−２　，２−３　，‥‥‥，２−ｎ　は画像伝送装置、１００Ａ　は、カメラ側の　ＬＡＮ　、１００Ｃ　はインターネット等の外部伝送メディア、１００Ｂ　はモニタ側の　ＬＡＮ　、３　は画像受信装置である（ここで、ｎ　は自然数）。外部伝送メディア　１００Ｃ　は、例えば、ネットワーク回線網である。図５〜図６において、画像伝送装置　２−１　，２−２　，２−３　，‥‥‥，２−ｎ　には、入力されるそれぞれの画像データに重畳されるための所定の文字情報が、あらかじめ設定されている。例えば、画像伝送装置　２−１　には、「２階中央」、画像伝送装置　２−３　には、「５階東側」という文字情報がそれぞれのカメラ　１−１　，１−２　，１−３　，‥‥‥，１−ｎ　が取得する画像データにそれぞれ重畳されるように設定されている。
【００１８】
図５は、画像受信装置　３　がカメラ　１−１　で取得された画像データを受信してモニタ　４　に表示していることを示している図である。
図５において、カメラ　１−１　，１−２　，１−３　，‥‥‥，１−ｎ　は、それぞれの設定された視野領域を撮像し、取得した画像を映像信号に変換し、それぞれのカメラに結合された画像伝送装置　２−１　，２−２　，２−３　，‥‥‥，２−ｎ　に映像信号を出力する。例えば、カメラ　１−１　の出力映像信号は、画像伝送装置　２−１　に出力され、カメラ　１−２　の出力映像信号は、画像伝送装置　２−２　に出力され、カメラ　１−３　の出力映像信号は、画像伝送装置　２−３　に出力される。
画像伝送装置　２−１　，２−２　，２−３　，‥‥‥，２−ｎ　は、入力された映像信号に所定の文字を重畳し、画像データに変換して、ＬＡＮ　１００Ａ　に配信する。
【００１９】
この時、画像伝送装置　２−１　，２−２　，２−３　，‥‥‥，２−ｎ　は、カメラ　１−１　，１−２　，１−３　，‥‥‥，１−ｎ　それぞれの取得した画像データと共に、カメラ　１−１　，１−２　，１−３　，‥‥‥，１−ｎ　それぞれの　ＩＤ　等の文字表示にかかわる情報を付加し、その付加データ（画像付随情報）を伝送する。例えば、画像伝送装置　２−１　は、カメラ　１−１　の画像データと共にカメラ　１−１　の画像付随情報を、画像伝送装置２−２　は、カメラ　１−２　の画像データと共にカメラ　１−２　の画像付随情報を、画像伝送装置　２−３　は、カメラ　１−３　の画像データと共にカメラ　１−３　の画像付随情報を伝送する。
【００２０】
画像受信装置　３　は、画像データと画像付随情報とを　ＬＡＮ　１００Ａ　、外部伝送メディア　１００Ｃ　、及び　ＬＡＮ　１００Ｂ　を介して受信する。そして、画像受信装置　３　は、受信した画像付随情報により、受信した画像データとその設定内容を認識し、設定内容に従って画像データをモニタ　４　の表示フォーマット（例えば、ＮＴＳＣ　方式）に変換して、モニタ　４　に出力する。モニタ　４　は、入力された画像データを表示する。これによって、モニタ　４　の表示画面上には、例えば、カメラ　１−１　の取得した画像に、「２階中央」の文字が重畳されて表示される。
【００２１】
図６は、モニタ　４　に表示させるカメラをカメラ　１−１　からカメラ　１−３　に切替えた場合を示している。画像受信装置　３　は、前述のように、画像伝送装置　２−３　が配信する文字が重畳された画像データを受信し、内蔵された　ＣＰＵ　が画像付随情報を解析して、解析された情報に基いて画像受信装置　３　の設定内容を認識し、入力された画像データをモニタ　４　の表示フォーマットに変換して、モニタ　４　に出力する。モニタ　４　は、カメラ　１−３　の取得した画像と「５階東側」の文字を表示画面上に表示する。
【００２２】
図７は、画像伝送装置　２−３　の　ＬＡＮ　ケーブルが断線した（または、例えば、無線　ＬＡＮ　の場合には、接続が切れている）場合を示している。このとき、画像受信装置　３　は、画像伝送装置　２−３　からの応答がないので、所定時間画像データの受信できないことに基いて、内蔵された　ＣＰＵ　が内蔵された文字表示回路の設定を「警告　回線断！」に変更する。これによって、画像受信装置　３　は、モニタ　４　に「警告　回線断！」を表示画面に表示する。
このとき、表示画面に同時に表示する画像としては、何も表示しないか、あるいは前に表示された画像、または、あらかじめ定められた画像のいずれかを表示するように設定を切替えることができる。
【００２３】
また、ＬＡＮ　１００Ｂ　に接続されている図示しないパーソナルコンピュータによって、情報データを画像データ送信装置　２−１　，２−２　，２−３　，‥‥‥，　２−ｎ　それぞれに送り、それぞれの文字表示の設定を変更することも可能であることはいうまでもない。
【００２４】
図８と図９により本発明の他の実施例を説明する。
図８、図９は、本発明の一実施例の画像受信装置を外部伝送メディアで接続したシステムの構成例を示す図である。
１−１　，１−２　，１−３　，‥‥‥，１−ｎ　はカメラ、２−１′，２−２′，２−３′，‥‥‥，〜２−ｎ′は画像伝送装置（　ｎ　は自然数）、３−１′，３−２′，３−３′，‥‥‥，　３−ｍ′は画像受信装置、１００Ａ　は、カメラ側の　ＬＡＮ　、１００Ｃ　はインターネット等の外部伝送メディア、１００Ｂ　は画像受信装置側の　ＬＡＮ　である。画像受信装置　３−１′，３−２′，３−３′，‥‥‥，　３−ｍ′は、図８、図９の実施例では、モニタ、入力機器（マウス、キーボード、等）を含むパーソナルコンピュータである。
【００２５】
図８は、画像受信装置　３−１′が、カメラ　１−１　で取得された画像データを受信して、画像受信装置　３−２′がカメラ　１−２　で取得された画像データを受信して表示していることを示す図である。
図８において、この時、画像伝送装置　２−１′はカメラ　１−１　の取得した画像データに所定の文字を重畳した画像データを、ＬＡＮ　１００Ａ　に配信する。これにより画像受信装置　３−１′に内蔵されたモニタの表示画面に「８階北」の文字が画像に重畳されて表示される。
同様に、画像伝送装置　２−ｎ′はカメラ　１−ｎ　の取得した画像データに文字を重畳した画像データを、ＬＡＮ　１００Ａ　に配信する。これにより画像受信装置　３−ｍ′に内蔵されたモニタの表示画面に「２階南」の文字が画像に重畳されて表示される。
【００２６】
図９は、画像受信装置　３−１′に表示させるカメラをカメラ　１−１　からカメラ　１−ｎ　に切替えて、画像受信装置　３−ｍ′に表示させるカメラをカメラ　１−ｎ　からカメラ　１−１　に切替えた場合を示している。
この場合も前述の図８で説明したように、画像伝送装置　２−１′はカメラ　１−１　の取得した画像データに所定の文字を重畳し、文字を重畳した画像データを　ＬＡＮ　１００Ａ　に配信している。これにより画像受信装置　３−ｍ′に内蔵されたモニタの表示画面に「８階北」の文字が画像に重畳されて表示される。
また同様に、画像伝送装置　２−ｎ′はカメラ　１−ｎ　の取得した画像データに所定の文字を重畳し、文字を重畳した画像データを、ＬＡＮ　１００Ａ　に配信している。これにより画像受信装置　３−１′に内蔵されたモニタの表示画面に「２階南」の文字が画像に重畳されて表示される。
【００２７】
このようにあらかじめ画像伝送装置に所定の文字表示情報を設定しておくことで容易に観測しているカメラについて文字表示から知ることができる。
画像伝送装置への文字表示情報の設定は、例えば、ＬＡＮ　１００Ａ　に接続された図示しないパーソナルコンピュータや図示しない専用操作器からの指示により実行することも可能である。
また、ＬＡＮ　１００Ｂ　側からの図示しないパーソナルコンピュータや図示しない専用操作器からの指示により実行することも可能である。
また更に、ＬＡＮ　１００Ｂ　側からのパーソナルコンピュータや専用操作器からの指示は、上述の設定の他に、カメラの設置場所の移動や変更に際してパソコン側からネットワークを経由で容易に文字表示情報が変更できる。したがって、カメラの設置場所が遠方の場合にも文字表示変更のためにわざわざ足を運ばなくてすむ。
【００２８】
以上、図５〜図７、及び図８、９で述べたように、送信側で取得した画像データに文字情報を重畳または付加することによって、受信側では、画像データを表示する表示画面（及び同時に音声を出力することも可能）で、送信側、受信側それぞれが、同時に画像以外の所望の情報を付加情報として知ることができる。
【００２９】
図１０によって、本発明の画像伝送装置に　ＬＡＮ　１００Ａ　に接続した入力機器（例えば、パーソナルコンピュータ）３００　から文字情報等の付加情報を入力して、カメラ　１−１　，１−２　，１−３　，‥‥‥，１−ｎ　それぞれが取得する画像に、それらカメラに結合して、入力される画像データに付加する文字情報の設定をそれぞれ変更する、画像伝送装置　２−１　，２−２　，２−３　，‥‥‥，２−ｎ　の文字情報の設定を変更する場合について説明する。
また、図１１によって、本発明の画像伝送装置に　ＬＡＮ　１００Ｂ　に接続した入力機器（例えば、パーソナルコンピュータ）３００　から文字情報等の付加情報を入力して、カメラ　１−１　，１−２　，１−３　，‥‥‥，１−ｎ　それぞれが取得する画像に、それらカメラに結合して、入力される画像データに付加する文字情報の設定をそれぞれ変更する、画像伝送装置　２−１　，２−２　，２−３　，‥‥‥，２−ｎ　の文字情報の設定を変更する場合について説明する。
図１０において、例えば、送信側では、ＬＡＮ　１００Ａ　を介して、またはそれぞれの画像伝送装置に直接アクセスして、送信側が入力したい（あるいは、受信者にアピールしたい）文字情報を画像に重畳または付加して伝送することができる。
また、図１１において、例えば、送信側では、ＬＡＮ　１００Ｂ　を介して、またはそれぞれの画像伝送装置に直接アクセスして、送信側が入力したい（あるいは、受信者にアピールしたい）文字情報を画像に重畳または付加して伝送することができる。
また、文字情報は、単に文字だけでなくそれ以外の視聴者が認識できる情報（音声、手話の囲み枠表示、ＣＧ、アニメーション、記号、等）であれば何でも良い。
画像に重畳または付加して伝送する場合の文字情報及び、画像伝送装置と画像受信装置間での応答の一例を以下、（１）〜（４）に列記する。
【００３０】
（１）そのカメラが送信者自身が経営する商店とその近傍を撮影している場合に、その商店の広告やイベント（バーゲンセール、実演販売の紹介等）
▲１▼　魚屋または魚売り場で、本日の目玉商品の秋刀魚をカメラで写しながら特長と値段を表示する。
▲２▼　時間指定のバーゲン等の情報（バーゲン対象商品メニューの画像と共に、値段、数量制限、時間、売り場等）を表示する。
▲３▼　魚等の食品売り場で、その食品の画像と共に、調理方法の紹介、または、調理方法を公開しているホームページのアドレスを表示し、リンクさせる。
▲４▼　おもちゃ屋またはおもちゃ売り場等で、次回発売のベーブレード（ベーゴマ）のサンプルを画像表示し、入荷（発売）予定日、時間、入荷数量、販売方法、整理券配布時間・場所等の文字情報を表示する。
【００３１】
（２）カメラがある高速道路のあるインターチェンジ地点を撮影している場合に、そのインターチェンジ地点近傍の観光地の宣伝、イベントや見所の紹介、その期間、サービス、旅館案内等を表示する。
【００３２】
（３）販売中の高層マンションの見晴らしの良い場所に電動雲台付カメラを設置して、撮影した景色を提供する。雲台の向きを受信機側から指定することが可能（例えば、角度や場所メニューを選択することにより、電動雲台を制御する）。ズーム機能、絞り、雲台移動速度等の制御も同様。
▲１▼　カメラの角度（向いている角度）と表示情報を同期させる。例えば、右方向なら「‥‥‥方向の景色」というように角度と連動して情報を表示する。
▲２▼　マンションの販売価格、敷地面積、部屋数、配置等の情報と共に、各階、各部屋毎の景色を表示する。
▲３▼　室内にもカメラを設置、室内情報を表示する。このとき、例えば、カメラの向きの情報と連動して、例えば、角度が　１０°のときはキッチン、　４５°のときは和室　１　、というように表示する。
▲４▼　地図情報とリンクさせ、カメラ設置場所、設置角度、角度設定の変更によって変化する画像を提供し、それらの情報を同時に表示する。展望台、屋上レストラン等の宣伝でも同様である。
▲５▼　ゴルフ場、スキー場、グランド施設、等において、現在の映像と共にコンディション情報を表示する。例えば、現在の天候状態、及び今後　１２　時間の降水や降雪の予想確率、風向き、風速等の表示、注意情報（落雷等）の表示を行い、更に、入場者数、リフトやゴンドラの混雑状況（待ち時間）、駐車場の状況（複数ある場合には、どこが空いているか）の情報を表示する。更に、予約方法、または、予約するための　ＵＲＬ　アドレスを表示してリンクさせる。
【００３３】
（４）監視
▲１▼　交通状態の監視で、交差点の監視において、雲台付カメラの角度と監視点情報を同期表示する。例えば、撮影地点と共に、角度が　３０°ならば新青梅街道の青梅方向、角度が　１５０°ならば新宿方向、角度が　９０°ならば小金井街道の小金井方向等を表示する。
▲２▼　河川の監視で、カメラの角度と方向を表示し、表示される角度と場所（上流、下流、支流、等）に応じて、角度を受信機側で指定することにより撮影画像が変更される。同時に連動して、該当場所の水量、流速等を表示する。
▲３▼　高速道路等の監視で、或るポイント地点での地点名（例えば、地図情報を表示してポイント地点を明示しても良い）、単位時間当たりの通過台数を表示する。そして、ここから次のポイント地点までの予想所要時間を表示する。更にまた、それらのポイント地点での天候状況、天候予想、名物、最寄りのサービスエリア、等を表示する。
【００３４】
以上、送信側の情報に連動して、受信側では、上記画像データに付随して表示される文字情報（または、音声情報）によって指定された文字情報や音声情報、またはそれらの組合せを入力機器を用いて入力することにより、選択したカメラまたは選択した撮影ポイントにあるカメラの電動雲台等を制御して、所望の映像を自身の受信機の表示部またはモニタに表示させることができる。
受信側からのカメラの選択は、例えば、アクセスする受信機の　ＩＰ　を選択を変更することで可能であるし、送信側からのサービスの提供の仕方によっては、選択できるカメラが画像データと共に表示され、所望のカメラを受信側から表示データに基いて選択することもできる。
【００３５】
これらの送信側及び受信側での情報データの管理方法、例えば、配信サービスの登録、変更、削除等のメンテナンス、また、情報の共有化、文字表示情報の改ざんの防止、パスワード等の管理、等はメンテナンスや機密性または重要性のレベルによるが、管理者が、管理専用の入力機器だけを介して実行することでも可能であるし、パスワードによって開錠させる管理方法等種々あり、システムの要求に基いて実行可能である。
また更に、交通渋滞等の情報の提供を、ｉ　モード等で受け、提供された情報を表示した場合に、表示文字数や、受信側からの要求回数に応じて、代金の支払いを行うことができる。また、管理者側が送信側に提供した文字情報を、表示時間単位、受信要求回数に応じて課金して広告料収入を得ることも可能である。
【００３６】
【発明の効果】
以上のように本発明によれば、あらかじめ画像伝送装置の文字表示情報を設定しておくことで容易に観測しているカメラについて文字表示から知ることができる。またカメラの設置場所の移動や変更に際してパソコン側からネットワークを経由で容易に文字表示情報が変更できるのでカメラの設置場所が遠方の場合にも文字表示変更のためにわざわざ足を運ばなくてすむ。
また、本発明によれば、カメラが取得した画像に任意の文字を付加または重畳して配信することが可能となり、画像配信サービスに適した文字情報を付加して配信及び受信表示する画像情報表示システムを提供することができる。更に、それらの文字情報は、画像受信装置の表示画面上を見ながら指示を行うことによって、画像伝送装置に送られ、その指示に基いて、画像伝送装置が配信する画像を任意に変更することが可能となった。
【図面の簡単な説明】
【図１】従来の画像伝送装置の構成を示すブロック図。
【図２】本発明の画像伝送装置の一実施例の構成を示すブロック図。
【図３】従来の画像受信装置の構成を示すブロック図。
【図４】本発明の画像受信装置の一実施例の構成を示すブロック図。
【図５】本発明の一実施例のシステム構成を示す図。
【図６】本発明の一実施例のシステム構成を示す図。
【図７】本発明の一実施例のシステム構成を示す図。
【図８】本発明の一実施例のシステム構成を示す図。
【図９】本発明の一実施例のシステム構成を示す図。
【図１０】本発明の一実施例を説明する図。
【図１１】本発明の一実施例を説明する図。
【符号の説明】
１，１−２，１−３，‥‥‥，１−ｎ：カメラ、　２，２′，２−１，２−２，２−３‥‥‥，２−ｎ，２−１′，‥‥‥，２−ｎ′：画像伝送装置、　３，３′，３−１，３−２，３−３，‥‥‥，３−ｍ，３−１′，３−２′，３−３′，‥‥‥，　３−ｍ′：画像受信装置、　４：モニタ、　１０：文字重畳装置、　２１：文字表示回路、　２２：Ａ／Ｄ　変換回路、　２３：画像データ圧縮回路、　２４：バッファメモリ、　２５：ＣＰＵ、　２６：ネットワーク制御回路、　３１：バッファメモリ、　３２：画像データ解凍回路、　３３：Ｄ／Ａ　変換回路、　３５：ネットワーク制御回路、　３６：ＣＰＵ、　１００，１００Ａ，１００Ｂ：ＬＡＮ、　１００Ｃ：外部伝送メディア。
【図１】
2004096197.tif 000003
【図２】
2004096197.tif 000004
【図３】
2004096197.tif 000005
【図４】
2004096197.tif 000006
【図５】
2004096197.tif 000007
【図６】
2004096197.tif 000008
【図７】
2004096197.tif 000009
【図８】
2004096197.tif 000010
【図９】
2004096197.tif 000011
【図１０】
2004096197.tif 000012
【図１１】
2004096197.tif 000013